(57)【特許請求の範囲】
【請求項１】
給電用接続部と出力用接続部と可溶部が設けられたバスバーと、前記給電用接続部と前記出力用接続部の前記バスバーの面を露出するように前記バスバーの外面に配置された絶縁保護部とを備え、
前記給電用接続部には、前記絶縁保護部が配置されずに前記バスバーの面が露出されて端子設置用凹部が設けられていることを特徴とするヒューズユニット。
【請求項２】
請求項１記載のヒューズユニットであって、
前記端子設置用凹部は、前記給電用接続部より前記バスバーの露出幅が小さいことを特徴とするヒューズユニット。
【請求項３】
請求項１又は請求項２記載のヒューズユニットであって、
前記給電用接続部は、折曲部で折曲された前記バスバーの一方側に配置され、前記端子設置用凹部は、前記バスバーの折曲部に達する位置まで設けられていることを特徴とするヒューズユニット。
【発明の詳細な説明】
【技術分野】
【０００１】
本発明は、ヒューズユニットに関する。
【背景技術】
【０００２】
従来より、いわゆるバッテリに直付けされるタイプのヒューズユニットが種々提案されている（例えば特許文献１、特許文献２参照）。この種のヒューズユニットの一従来例が図６に示されている。
【０００３】
図６において、ヒューズユニット１００は、バッテリ（図示せず）のバッテリポスト（図示せず）にバッテリ端子１３０を介して固定されている。ヒューズユニット１００は、導電性金属板であるバスバー１１０と、このバスバー１１０の外面にインサート樹脂成形によって設けられた絶縁保護部１２０とを備えている。
【０００４】
バスバー１１０は、バッテリ端子１３０が接続され、バッテリポスト（図示せず）側から給電を受ける給電用接続部１１１と、負荷側端子が接続される複数の出力用接続部１１２，（図示せず）と、給電用接続部１１１と出力用接続部１１２，（図示せず）との間に介在される可溶部（図示せず）とを有する。
【０００５】
絶縁保護部１２０は、これら給電用接続部１１１及び出力用接続部１１２，（図示せず）や可溶部（図示せず）の箇所を除いてバスバー１１０の外周に配置されている。これによりヒューズユニット１００の強度アップ等が図られている。又、絶縁保護部１２０によって出力用接続部（図示せず）のコネクタハウジング１２１が形成されている。
【０００６】
給電用接続部１１１では、バスバー１１０の表裏の両面が絶縁保護部１２０で被われず、バスバー１１０の一端面１１０ａを含めて露出している。給電用接続部１１１にはボルト挿通孔１１１ａが形成されている。
【０００７】
給電用接続部１１１では、露出されたバスバー１１０の一端面１１０ａより突出させるようにバッテリ端子１３０をセットし、このようにセットしたバッテリ端子１３０と給電用接続部１１１をボルト挿通孔１１１ａに挿通したボルト１３０ａとナット（図示せず）で締結する。バッテリ端子１３０はバスバー１１０の露出面に密着状態で接続される。
【先行技術文献】
【特許文献】
【０００８】
【特許文献１】特開２０１０−７３５１６号公報
【特許文献２】特開２０１０−２７７９８５号公報
【発明の概要】
【発明が解決しようとする課題】
【０００９】
ところで、図６に示すように、電線Ｗに接続された接続端子１３１をバッテリ端子１３０に共締めする場合がある。前記従来例では、給電用接続部１１１の前方にはバッテリ端子１１３が配置され、給電用接続部１１１の後方には、絶縁保護部１２０（図面では符号１２０ａを付した箇所）が配置されている。従って、接続端子１３１の設置位置及び電線Ｗの引出スペースとしては、給電用接続部１１１の下方スペースと上方スペースしかない。そのため、接続端子１３１としてＬ字状のものを使用し、電線Ｗを給電用接続部１１１の下方（図６にて実線で示す）に引き出すか、電線Ｗを給電用接続部１１１の上方（図６にて仮想線で示す）に引き出すかするしかなかった。以上のことより、接続端子１３１の設置パターン及び電線Ｗの引出方向に自由度が少ないという問題があった。
【００１０】
そこで、本発明は、前記した課題を解決すべくなされたものであり、給電用接続部に接続端子をバッテリ端子と共に共締めするものにあって、接続端子の設置パターンとその電線の引出方向の自由度が高いヒューズユニットを提供することを目的とする。
【課題を解決するための手段】
【００１１】
本発明は、給電用接続部と出力用接続部と可溶部が設けられたバスバーと、前記給電用接続部及び前記出力用接続部の前記バスバーの面を露出するように前記バスバーの外面に配置された絶縁保護部とを備え、前記給電用接続部には、前記絶縁保護部が配置されずに前記バスバーの面が露出されて端子設置用凹部が設けられていることを特徴とする。
【００１２】
前記端子設置用凹部は、前記給電用接続部より前記バスバーの露出幅が小さいことが好ましい。
【００１３】
前記給電用接続部は、折曲部で折曲された前記バスバーの一方側に配置され、前記端子設置用凹部は、前記バスバーの折曲部の位置まで設けることが好ましい。
【発明の効果】
【００１４】
本発明によれば、接続端子を給電用接続部の上方スペース及び下方スペースのみならず端子設置用凹部を利用して設置できるため、接続端子の設置パターンとその電線の引出方向の自由度が高い。
【図面の簡単な説明】
【００１５】
【図１】本発明の一実施形態を示し、ヒューズユニットの斜視図である。
【図２】本発明の一実施形態を示し、下方に向かって電線を引き出す場合のバッテリ端子及び接続端子の配置状態を示すヒューズユニットの斜視図である。
【図３】本発明の一実施形態を示し、上方又は後方（バッテリと反対側）に向かって電線を引き出す場合のバッテリ端子の配置状態を示すヒューズユニットの斜視図である。
【図４】本発明の一実施形態を示し、上方に向かって電線を引き出す場合のバッテリ端子及び接続端子の配置状態を示すヒューズユニットの斜視図である。
【図５】本発明の一実施形態を示し、後方（バッテリと反対側）に向かって電線を引き出す場合のバッテリ端子の配置状態を示すヒューズユニットの斜視図である。
【図６】従来例を示し、ヒューズユニットの斜視図である。
【発明を実施するための形態】
【００１６】
以下、本発明の一実施形態を図面に基づいて説明する。
【００１７】
図１〜図５は本発明の一実施形態を示す。図１に示すように、ヒューズユニット１は、所定形状の導電性金属板から形成されたバスバー２と、このバスバーの外面に配置された絶縁保護部２０とを備えている。
【００１８】
バスバー２には、バッテリポスト（図示せず）にバッテリ端子３０を介して固定される給電用接続部３と、第１出力用接続部４と、４つの第２出力用接続部５（図３〜図５に示す）と、給電用接続部３と第１及び第２出力用接続部４，５の間にそれぞれ配置される可溶部（図示せず）とが形成されている。バスバー２は、折曲部２ｂで直角に折れ曲げられてＬ字状に形成されている。折れ曲がった一方側に給電用接続部３と第１出力用接続部４が、折れ曲がった他方側に可溶部（図示せず）と各第２出力用接続部４が配置されている。
【００１９】
給電用接続部３には、ボルト挿通孔３ａが形成されている。このボルト挿通孔３ａを利用してバッテリ端子３０が接続される。
【００２０】
第１出力用接続部４には、ボルト圧入溝１０が形成されている。各第２出力用接続部にはボルト螺入孔１１がそれぞれ形成されている。ボルト圧入溝１０及び各ボルト螺入孔１１にはボルト１２が挿入されている。各ボルト１２は、その頭部が絶縁保護部２０によって固定されている。第１出力用接続部４及び各第２出力用接続部５では、ボルト１２を利用して相手端子（図示せず）が締結接続される。
【００２１】
絶縁保護部２０は、バスバー２とこれに仮固定されたボルト１２とを共にインサート部品としてインサート成形によって形成されている。絶縁保護部２０は、給電用接続部３、第１出力用接続部４、各第２出力用接続部５、各可溶部（図示せず）の各箇所を除くバスバー２の外周を基本的に被うように配置されている。給電用接続部３では、バスバー２の表裏の両面が絶縁保護部２０で被われず、バスバー２の一端面２ａを含めて露出している。又、給電用接続部３には、絶縁保護部２０が配置されずにバスバー２の面が露出されて端子設置用凹部１３が設けられている。端子設置用凹部１３は、給電用接続部３よりバスバー２の露出幅ＷＤが小さく、接続端子３１Ｃの幅より若干だけ大きい幅に設定されている。又、端子設置用凹部１３は、バスバー２の折曲部２ｂの位置まで設けられている。これにより、バスバー２の折曲部２ｂは露出している。
【００２２】
次に、給電用接続部３にバッテリ端子３０と共締めする接続端子３１Ａ〜３１Ｃの設置パターンを説明する。先ず、給電用接続部３の下方に向かって電線Ｗを引き出すように設置する場合には、図２に示すように、接続端子３１Ａは、端子圧着部３１ａと電線加締部３１ｂの間でほぼ直角に折れ曲がったＬ字状形態のもの（ＬＡ端子）を使用する。電線Ｗの引出方向を下方に向けて接続端子３１Ａをバッテリ端子３０の固定ボルト３０ａに挿入する。そして、固定ボルト３０ａを給電用接続部３のボルト挿通孔３ａに挿入する。その後、固定ボルト３０ａとナット３２を締結する。接続端子３１Ａは、給電用接続部３の下方スペースを利用して設置される。
【００２３】
次に、給電用接続部３の上方に向かって電線Ｗを引き出すように設置する場合には、図３に示すように、給電用接続部３のボルト挿通孔３ａにバッテリ端子３０の固定ボルト３０ａを下から挿入する。そして、図４に示すように、接続端子３１Ｂは、端子圧着部３１ａと電線加締部３１ｂの間でほぼ直角に折れ曲がったＬ字状形態のもの（ＬＡ端子）を使用する。電線Ｗの引出方向を上方に向けて接続端子３１Ｂをバッテリ端子３０の固定ボルト３０ａに挿入し、固定ボルト３０ａとナット３２を締結する。接続端子３１Ｂは、給電用接続部３の上方スペースを利用して設置される。また、接続端子３１Ｂとして、端子圧着部３１ａと電線加締部３１ｂの間でほぼ直角に折れ曲がったＬ字状形態で、且つ、端子圧着部３１ａの長寸法のものを使用する。そして、端子圧着部３１ａを給電用接続部３と端子設置用凹部１３のバスバー２の露出面に沿って配置すると共に、電線加締部３１ｂを下方に向けて配置することにより、給電用接続部３の後方（バッテリとは反対側）から電線Ｗを下方に引き出すことも出来る。
【００２４】
次に、給電用接続部３の後方（バッテリとは反対側）に向かって水平に電線Ｗを引き出すように設置する場合には、図３に示すように、給電用接続部３のボルト挿通孔３ａにバッテリ端子３０の固定ボルト３０ａを下から挿入する。そして、図５に示すように、接続端子３１Ａは、端子圧着部３１ａと電線加締部３１ｂが直線状であるストレート形態のもの（ＬＡ端子）を使用する。電線Ｗの引出方向をバッテリ側に向けて接続端子３１Ｃをバッテリ端子３０の固定ボルト３０ａに挿入する。その後、固定ボルト３０ａとナット３２を締結する。接続端子３１Ｃは、給電用接続部３と端子設置用凹部１３のバスバー２の露出面に沿って設置される。
【００２５】
以上説明したように、給電用接続部３の周囲には、絶縁保護部２０が配置されずにバスバー２の面が露出されて端子設置用凹部１３が設けられている。従って、給電用接続部３の上方スペース及び下方スペースのみならず端子設置用凹部１３をも利用して接続端子３１Ａ〜３１Ｃを設置できるため、接続端子３１Ａ〜３１Ｃの設置パターン及び電線Ｗの引出方向の自由度が高くなる。
【００２６】
端子設置用凹部１３は、給電用接続部３よりバスバー２の露出幅ＷＤが小さいため、ボルト３０ａとナット３２の締結時における接続端子３１Ｃの回り止めになる。又、バスバー２の露出面積を極力小さくできるため、強度低下を抑えることができる。
【００２７】
給電用接続部３は、折曲部２ｂで折曲されたバスバー２の一方側に配置され、端子設置用凹部１３は、バスバー２の折曲部２ｂの位置まで設けられている。従って、バスバー２の折曲部２ｂより外側に突出するように電線Ｗを引き出すことができるため、バスバー２の折曲部２ｂの外側スペースを有効利用できる。
【符号の説明】
【００２８】
１  ヒューズユニット
２  バスバー
２ｂ  折曲部
３  給電用接続部
４  第１出力用接続部（出力用接続部）
５  第２出力用接続部（出力用接続部）
１３  端子設置用凹部
２０  絶縁保護部
【図１】
0005753411.tif 000002
【図２】
0005753411.tif 000003
【図３】
0005753411.tif 000004
【図４】
0005753411.tif 000005
【図５】
0005753411.tif 000006
【図６】
0005753411.tif 000007